(57)【要約】【課題】スイッチを押すことによりカーソルを表示し、かつ直感的な操作を行うことによってカーソルを見失うことなく表示する。【解決手段】ポインタは、カーソル表示スイッチの押下げを示すカーソル表示信号Ｓ１と画像表示装置からの受光を示す識別信号Ｓ２とポインタの動きを示す動き信号とを描画装置に送信し、描画装置は、Ｓ１＝「Ｈ」かつＳ２＝「Ｌ」のフィールドではカーソル座標を設定せずカーソル画像信号を出力せず、Ｓ１＝「Ｈ」かつＳ２＝「Ｈ」かつカーソル座標が設定されているフィールドではその座標に動き信号の動きを加算してカーソル座標を更新しかつカーソル画像信号を出力し、Ｓ１＝「Ｈ」かつＳ２＝「Ｈ」かつカーソル座標が設定されていないフィールドでは動き信号に基づきカーソル座標を設定しかつカーソル画像信号を出力し、Ｓ１＝「Ｌ」のフィールドではカーソル座標を更新せずカーソル画像信号を出力しない。【選択図】図６
2014035554.tif 000002
【特許請求の範囲】
【請求項１】
画像表示装置と、前記画像表示装置に表示するカーソルを操作するポインタと、前記カーソルを表示するための画像信号を作成して前記画像表示装置に出力する描画装置と、を備えた画像表示システムであって、
前記ポインタは、カーソル表示スイッチと受光素子と動きセンサとを有し、前記カーソル表示スイッチの押下げの有無を示すカーソル表示信号と前記受光素子の前記画像表示装置からの受光の有無を示す識別信号と前記動きセンサによる前記ポインタの動きを示す動き信号とを前記描画装置に送信し、
前記描画装置は、
前記カーソルの座標を記憶する座標メモリを有し、
前記カーソル表示信号がカーソル表示スイッチの押下げを示し前記識別信号が前記画像表示装置からの受光を示さないフィールドでは、前記カーソルの座標を前記座標メモリに設定しないとともに前記カーソルを表示する画像信号を出力せず、
前記カーソル表示信号がカーソル表示スイッチの押下げを示し前記識別信号が前記画像表示装置からの受光を示しかつ前記座標メモリに前記カーソルの座標が設定されているフィールドでは、設定されている前記カーソルの座標に前記動き信号の示す動きを加算して前記カーソルの座標を更新するとともに更新した座標に基づき前記カーソルを表示する画像信号を出力し、
前記カーソル表示信号がカーソル表示スイッチの押下げを示し前記識別信号が前記画像表示装置からの受光を示しかつ前記座標メモリに前記カーソルの座標が設定されていないフィールドでは、前記動き信号に基づいて前記カーソルの座標を前記座標メモリに設定するとともに設定した座標に基づき前記カーソルを表示する画像信号を出力し、
前記カーソル表示信号がカーソル表示スイッチの押下げを示していないフィールドでは、前記座標メモリの座標を更新しないとともに前記カーソルを表示する画像信号を出力しないことを特徴とする画像表示システム。
【請求項２】
前記画像表示装置は、画像を表示するための画像表示サブフィールドと、画像表示装置を識別するための識別発光を発生する識別サブフィールドとを含む複数のサブフィールドで１フィールド期間を構成し、
前記識別信号は、前記識別発光の受光の有無を示すことを特徴とする請求項１に記載の画像表示システム。
【請求項３】
前記描画装置は、前記カーソル表示信号がカーソル表示スイッチの押下げを示し前記識別信号が前記画像表示装置からの受光を示しかつ前記座標メモリに前記カーソルの座標が記憶されていないフィールドでは、前記動き信号の示す動きの方向が上向きであれば画像表示領域の下辺中央の座標を、下向きであれば画像表示領域の上辺中央の座標を、右向きであれば画像表示領域の左辺中央の座標を、左向きであれば画像表示領域の右辺中央の座標を、前記カーソルの座標として前記座標メモリに設定することを特徴とする請求項１に記載の画像表示システム。
【請求項４】
前記描画装置は、前記カーソル表示信号がカーソル表示スイッチの押下げを示し前記識別信号が前記画像表示装置からの受光を示しかつ前記座標メモリに前記カーソルの座標が記憶されていないフィールドでは、前記画像表示領域の上辺中央、下辺中央、左辺中央、右辺中央、左上隅、右上隅、左下隅、右下隅のいずれかの座標であって、かつその座標を始点として前記動き信号の示す動きの方向に延長した半直線が前記画像表示領域の中心に最も近い座標を、前記カーソルの座標として前記座標メモリに設定することを特徴とする請求項１に記載の画像表示システム。
【請求項５】
前記描画装置は、前記カーソル表示信号がカーソル表示スイッチの押下げを示し前記識別信号が前記画像表示装置からの受光を示しかつ前記座標メモリに前記カーソルの座標が記憶されていないフィールドでは、前記画像表示領域の周辺部の座標であって、かつその座標を始点として前記動き信号の示す動きの方向に延長した半直線が前記画像表示領域の中心を通る座標を、前記カーソルの座標として前記座標メモリに設定することを特徴とする請求項１に記載の画像表示システム。
【発明の詳細な説明】
【技術分野】
【０００１】
本発明は、１以上のポインタを用いて、画像表示領域の任意の位置をカーソルで指示しながらプレゼンテーションができる画像表示システムに関するものである。
【背景技術】
【０００２】
特許文献１には、スイッチを押すことにより、レーザ光を表示物やＯＨＰの投影体に照射し、プレゼンテーション等の補助器具として使用するレーザポインタが記載されている。
【０００３】
また特許文献２には、大画面の画像表示装置として代表的なプラズマディスプレイパネルを用いて、黒板やホワイトボードのように画像表示面上から文字や絵などを描画できる電子黒板が記載されている。
【０００４】
また特許文献３には、Ｘ軸およびＹ軸に対する加速度を検出する加速度センサを備えたポインタを空間中で動かして、加速度センサの検出値に基づいて、画面上のカーソルを移動させるプロジェクタが記載されている。
【０００５】
また、特許文献４には、マウスによるカーソル位置の制御方法に関し、一定の時間経過後にカーソルを表示する場合、あらかじめ定められた初期位置に表示する方法が記載されている。
【先行技術文献】
【特許文献】
【０００６】
【特許文献１】特開平２−５０１８号公報
【特許文献２】特開２００１−３１８７６５号公報
【特許文献３】特開２００７−２４８７１０号公報
【特許文献４】特開平４−２６８６２０号公報
【発明の概要】
【発明が解決しようとする課題】
【０００７】
特許文献１に記載されているように、ポインタの使用方法としては、スイッチを押下げている間はカーソルを表示し、スイッチを離すとカーソルを表示しないという方法が一般的である。
【０００８】
また特許文献３に記載の画像表示システムを用いてプレゼンテーションを行う場合、使用者がカーソルを常に表示し続けることはまれであり、通常はしばしばカーソルを消去する。そして再びカーソルを表示する場合に、使用者はカーソルの位置を見失い、発見するまでに時間がかかる、あるいは発見する目的だけのためにカーソルを大きく動かすことがあるといった課題があった。
【０００９】
また、特許文献４に記載されているように、あらかじめ定められた初期位置にカーソルを表示する場合であっても、特に、複数の使用者がそれぞれのポインタを用いてそれぞれに対応するカーソルを同時に表示する場合には、自身のポインタに対応するカーソルを識別するのに時間がかかるといった課題があった。
【００１０】
本発明は上記の課題に鑑みなされたものであり、スイッチを押すことによりカーソルを表示し、かつ直感的な操作を行うことによってカーソルを見失うことなく表示できる画像表示システムを提供することを目的とする。
【課題を解決するための手段】
【００１１】
上記目的を達成するために本発明は、画像表示装置と、画像表示装置に表示するカーソルを操作するポインタと、カーソルを表示するための画像信号を作成して画像表示装置に出力する描画装置と、を備えた画像表示システムであって、ポインタは、カーソル表示スイッチと受光素子と動きセンサとを有し、カーソル表示スイッチの押下げの有無を示すカーソル表示信号と受光素子の画像表示装置からの受光の有無を示す識別信号と動きセンサによるポインタの動きを示す動き信号とを描画装置に送信し、描画装置はカーソルの座標を記憶する座標メモリを有し、カーソル表示信号がカーソル表示スイッチの押下げを示し識別信号が画像表示装置からの受光を示さないフィールドではカーソルの座標を座標メモリに設定しないとともにカーソルを表示する画像信号を出力せず、カーソル表示信号がカーソル表示スイッチの押下げを示し識別信号が画像表示装置からの受光を示しかつ座標メモリにカーソルの座標が設定されているフィールドでは設定されているカーソルの座標に動き信号の示す動きを加算してカーソルの座標を更新するとともに更新した座標に基づきカーソルを表示する画像信号を出力し、カーソル表示信号がカーソル表示スイッチの押下げを示し識別信号が画像表示装置からの受光を示しかつ座標メモリにカーソルの座標が設定されていないフィールドでは動き信号に基づいてカーソルの座標を座標メモリに設定するとともに設定した座標に基づきカーソルを表示する画像信号を出力し、カーソル表示信号がカーソル表示スイッチの押下げを示していないフィールドでは座標メモリの座標を更新しないとともにカーソルを表示する画像信号を出力しないことを特徴とする。この構成により、スイッチを押すことによりカーソルを表示し、かつ直感的な操作を行うことによってカーソルを見失うことなく表示できる画像表示システムを提供することができる。
【００１２】
また本発明の画像表示システムの画像表示装置は、画像を表示するための画像表示サブフィールドと、画像表示装置を識別するための識別発光を発生する識別サブフィールドとを含む複数のサブフィールドで１フィールド期間を構成し、上記の識別信号は識別発光の受光の有無を示すものであってもよい。
【００１３】
また本発明の画像表示システムの描画装置は、カーソル表示信号がカーソル表示スイッチの押下げを示し識別信号が画像表示装置からの受光を示しかつ座標メモリにカーソルの座標が記憶されていないフィールドでは、動き信号の示す動きの方向が上向きであれば画像表示領域の下辺中央の座標を、下向きであれば画像表示領域の上辺中央の座標を、右向きであれば画像表示領域の左辺中央の座標を、左向きであれば画像表示領域の右辺中央の座標を、カーソルの座標として座標メモリに設定してもよい。
【００１４】
また本発明の画像表示システムの描画装置は、カーソル表示信号がカーソル表示スイッチの押下げを示し識別信号が画像表示装置からの受光を示しかつ座標メモリにカーソルの座標が記憶されていないフィールドでは、画像表示領域の上辺中央、下辺中央、左辺中央、右辺中央、左上隅、右上隅、左下隅、右下隅のいずれかの座標であって、かつその座標を始点として動き信号の示す動きの方向に延長した半直線が画像表示領域の中心に最も近い座標を、カーソルの座標として座標メモリに設定してもよい。
【００１５】
また本発明の画像表示システムの描画装置は、カーソル表示信号がカーソル表示スイッチの押下げを示し識別信号が画像表示装置からの受光を示しかつ座標メモリにカーソルの座標が記憶されていないフィールドでは、画像表示領域の周辺部の座標であって、かつその座標を始点として動き信号の示す動きの方向に延長した半直線が画像表示領域の中心を通る座標を、カーソルの座標として座標メモリに設定してもよい。
【発明の効果】
【００１６】
本発明によれば、スイッチを押すことによりカーソルを表示し、かつ直感的な操作を行うことによってカーソルを見失うことなく表示できる画像表示システムを提供することが可能となる。
【図面の簡単な説明】
【００１７】
【図１】本発明の実施の形態における画像表示システムに用いるパネルの分解斜視図である。
【図２】同画像表示システムに用いるパネルの電極配列図である。
【図３】同画像表示システムのパネルに印加する駆動電圧波形図である。
【図４】同画像表示システムの回路ブロック図である。
【図５】同画像表示システムの画像表示領域の座標の定義を示す図である。
【図６】同画像表示システムの描画部の動作を示す状態遷移図である。
【図７】同画像表示システムの複数の初期座標を示す図である。
【図８】同画像表示システムの動作の一例を示す模式図である。
【図９】同画像表示システムの動作の他の例を示す模式図である。
【図１０】同画像表示システムの他の初期座標を示す図である。
【図１１】同画像表示システムのさらに他の初期座標を示す図である。
【発明を実施するための形態】
【００１８】
本発明の実施の形態における画像表示システムについて、プラズマディスプレイパネルを画像表示装置として用いた例を、図面を用いて以下に説明する。
【００１９】
（実施の形態）
画像表示システムは、画像表示装置と、画像表示装置に表示するカーソルを操作するポインタと、カーソルを表示するための画像信号を作成して画像表示装置に出力する描画装置とを備える。まず、画像表示装置に用いるプラズマディスプレイパネル（以下、「パネル」と略記する）およびその駆動方法について説明する。
【００２０】
図１は、本発明の実施の形態における画像表示システムに用いるパネル１０の分解斜視図である。ガラス製の前面基板１１上には、走査電極１２と維持電極１３とが平行に複数形成され、それらを覆うように誘電体層１５および保護層１６が形成されている。背面基板２１上にはデータ電極２２が複数形成され、その上に誘電体層２３および井桁状の隔壁２４が形成されている。そして隔壁２４の側面および誘電体層２３上には赤色、緑色および青色の各色に発光する蛍光体層２５が設けられている。
【００２１】
これら前面基板１１と背面基板２１とは対向配置して封着され、内部の放電空間には放電ガスが封入されている。放電空間は隔壁２４によって複数の区画に仕切られており、走査電極１２および維持電極１３とデータ電極２２とが交差する部分に放電セルが形成されている。そしてこれらの放電セルが放電、発光することにより画像が表示される。
【００２２】
図２は、本発明の実施の形態における画像表示システムに用いるパネル１０の電極配列図である。パネル１０には、行方向に延びたｎ本の走査電極ＳＣ１〜ＳＣｎ（図１の走査電極１２）およびｎ本の維持電極ＳＵ１〜ＳＵｎ（図１の維持電極１３）が配列され、列方向に延びたｍ本のデータ電極Ｄ１〜Ｄｍ（図１のデータ電極２２）が配列されている。そして、１対の走査電極ＳＣｉ（ｉ＝１〜ｎ）および維持電極ＳＵｉと１つのデータ電極Ｄｊ（ｊ＝１〜ｍ）とが交差した部分に放電セルが形成され、放電セルは放電空間内にｍ×ｎ個形成されている。ここで隣接する３本のデータ電極と１対の走査電極および維持電極との交差する部分に形成される３個の放電セルは、赤のサブピクセル、緑のサブピクセル、青のサブピクセルである。そして赤のサブピクセル、緑のサブピクセル、青のサブピクセルが一組で１つの画素を構成する。したがって、例えばパネル１０が１０８０×１９２０の画素をもつ高精細度パネルであれば、ｎ＝１０８０、ｍ＝１９２０×３＝５７６０である。
【００２３】
図３は、本発明の実施の形態における画像表示システムのパネル１０に印加する駆動電圧波形図である。本発明の実施の形態においては、画像を表示するための画像表示サブフィールドと、画像表示装置を識別するための識別発光を発生する識別サブフィールドとを含む複数のサブフィールドで１フィールド期間を構成している。
【００２４】
まず画像表示サブフィールドについて説明する。画像表示サブフィールドは、あらかじめ定められた輝度重みを持つ複数のサブフィールドで構成され、それぞれの画像表示サブフィールドの発光・非発光を放電セル毎に制御することにより画像を表示する。
【００２５】
本実施の形態において画像表示サブフィールドは、初期化期間と書込み期間と維持期間とを有する８個のサブフィールドＳＦ１〜ＳＦ８であり、サブフィールドＳＦ１〜ＳＦ８それぞれの輝度重みは、例えば（１、３４、２１、１３、８、５、３、２）である。しかしサブフィールド数、輝度重み等のサブフィールド構成は、上記に限定されるものではない。
【００２６】
図３に示したように、サブフィールドＳＦ１の初期化期間Ｐｉでは、データ電極Ｄ１〜Ｄｍに電圧０（Ｖ）を印加し、維持電極ＳＵ１〜ＳＵｎに電圧０（Ｖ）を印加し、走査電極ＳＣ１〜ＳＣｎに電圧Ｖｉ１から電圧Ｖｉ２まで上昇する上り傾斜電圧を印加する。次に維持電極ＳＵ１〜ＳＵｎに電圧Ｖｅを印加し、走査電極ＳＣ１〜ＳＣｎに電圧０（Ｖ）から電圧Ｖｉ４まで下降する下り傾斜電圧を印加する。すると全ての放電セルで微弱な初期化放電が発生して、走査電極ＳＣ１〜ＳＣｎ上の壁電圧および維持電極ＳＵ１〜ＳＵｎ上の壁電圧が弱められ、データ電極Ｄ１〜Ｄｍ上の壁電圧は書込み動作に適した値に調整される。
【００２７】
続く書込み期間Ｐｗでは、維持電極ＳＵ１〜ＳＵｎに電圧Ｖｅを印加したまま走査電極ＳＣ１〜ＳＣｎのそれぞれに電圧Ｖｃを印加する。
【００２８】
次に、１行目の走査電極ＳＣ１に電圧Ｖａの走査パルスを印加するとともに、データ電極Ｄ１〜Ｄｍのうち１行目に発光させるべき放電セルのデータ電極Ｄｋ（ｋ＝１〜ｍ）に電圧Ｖｄの書込みパルスを印加する。すると書込みパルスを印加した放電セルで書込み放電が発生し、走査電極ＳＣ１上および維持電極ＳＵ１上に所定の壁電圧が蓄積される。一方、書込みパルスを印加しなかった放電セルでは書込み放電は発生しない。次に、２行目の走査電極ＳＣ２に走査パルスを印加するとともに、データ電極Ｄ１〜Ｄｍのうち２行目に発光させるべき放電セルのデータ電極Ｄｋに書込みパルスを印加する。すると書込みパルスを印加した放電セルで書込み放電が発生し、走査電極ＳＣ２上および維持電極ＳＵ２上に所定の壁電圧が蓄積される。
【００２９】
以下同様に、走査電極ＳＣ３〜ＳＣｎに走査パルスを順次印加するとともに発光させるべき放電セルのデータ電極Ｄｋに書込みパルスを印加して、３行目〜ｎ行目に発光させるべき放電セルで書込み放電を順次発生させる。
【００３０】
続く維持期間Ｐｓでは、走査電極ＳＣ１〜ＳＣｎに電圧Ｖｓの維持パルスを印加し、維持電極ＳＵ１〜ＳＵｎに電圧０（Ｖ）を印加する。すると書込み放電を起こした放電セルでは維持放電が発生して蛍光体層２５が発光する。そして走査電極ＳＣｉ上の壁電圧および維持電極ＳＵｉ上の壁電圧の極性が反転する。一方、書込み放電を起こさなかった放電セルでは維持放電は発生しない。続いて走査電極ＳＣ１〜ＳＣｎに電圧０（Ｖ）を印加し、維持電極ＳＵ１〜ＳＵｎに維持パルスを印加する。すると維持放電を起こした放電セルでは再び維持放電が発生して蛍光体層２５が発光する。以下同様に輝度重みに応じた数の維持パルスを走査電極ＳＣ１〜ＳＣｎと維持電極ＳＵ１〜ＳＵｎとに交互に印加し、書込み放電を起こした放電セルで維持放電を継続して発生させる。
【００３１】
そして維持期間Ｐｓの最後に、電圧０（Ｖ）から電圧Ｖｒまで上昇する上り傾斜電圧を走査電極ＳＣ１〜ＳＣｎに印加する。すると、維持放電を発生した放電セルで微弱な消去放電が発生して、走査電極ＳＣｉ上および維持電極ＳＵｉ上の壁電圧を弱める。
【００３２】
サブフィールドＳＦ２の初期化期間Ｐｉでは、データ電極Ｄ１〜Ｄｍに電圧０（Ｖ）を印加し、維持電極ＳＵ１〜ＳＵｎに電圧Ｖｅを印加し、走査電極ＳＣ１〜ＳＣｎに電圧０（Ｖ）から電圧Ｖｉ４まで下降する下り傾斜電圧を印加する。すると、直前のサブフィールドＳＦ１で維持放電を起こした放電セルでは微弱な初期化放電が発生し、走査電極ＳＣｉ上の壁電圧および維持電極ＳＵｉ上の壁電圧が弱められ、データ電極Ｄｋ上の壁電圧は書込み動作に適した値に調整される。
【００３３】
サブフィールドＳＦ２の書込み期間Ｐｗの動作はサブフィールドＳＦ１の書込み期間Ｐｗの動作と同様であるため説明を省略する。続く維持期間Ｐｓの動作も維持パルスの数を除いてサブフィールドＳＦ１の維持期間Ｐｓの動作と同様である。サブフィールドＳＦ３〜ＳＦ８の動作も維持パルスの数を除いてサブフィールドＳＦ２の動作と同様である。
【００３４】
次に識別サブフィールドＳＦｏについて説明する。識別サブフィールドＳＦｏは画像表示装置の固有のパターンで発光するサブフィールドであり、初期化期間Ｐｉと書込み期間Ｐｗと識別期間Ｐｏとを有する。
【００３５】
識別サブフィールドＳＦｏの初期化期間Ｐｉでは、データ電極Ｄ１〜Ｄｍに電圧０（Ｖ）を印加し、維持電極ＳＵ１〜ＳＵｎに電圧０（Ｖ）を印加し、走査電極ＳＣ１〜ＳＣｎに電圧Ｖｉ１から電圧Ｖｉ２まで上昇する上り傾斜電圧を印加する。次に維持電極ＳＵ１〜ＳＵｎに電圧Ｖｅを印加し、走査電極ＳＣ１〜ＳＣｎに電圧０（Ｖ）から電圧Ｖｉ４まで下降する下り傾斜電圧を印加する。すると全ての放電セルで微弱な初期化放電が発生して、走査電極ＳＣ１〜ＳＣｎ上の壁電圧および維持電極ＳＵ１〜ＳＵｎ上の壁電圧が弱められ、データ電極Ｄ１〜Ｄｍ上の壁電圧は書込み動作に適した値に調整される。
【００３６】
続く書込み期間Ｐｗでは、維持電極ＳＵ１〜ＳＵｎに電圧Ｖｅを印加したまま走査電極ＳＣ１〜ＳＣｎのそれぞれに電圧Ｖｃを印加する。その後、データ電極Ｄ１〜Ｄｍに書込みパルスを印加するとともに走査電極ＳＣ１〜ＳＣｎに走査パルスを印加して、全ての放電セルで書込み放電を発生させる。
【００３７】
続く識別期間Ｐｏでは、書込み放電を発生させた時刻ｔｏ０から所定の時間Ｔｏ０経過後の時刻ｔｏ１において、走査電極ＳＣ１〜ＳＣｎに電圧Ｖｓｏの識別パルスを印加するとともに維持電極ＳＵ１〜ＳＵｎに電圧０（Ｖ）を印加して、全ての放電セルで識別放電を発生させる。次に、時刻ｔｏ１から時間Ｔｏ１経過後の時刻ｔｏ２において、走査電極ＳＣ１〜ＳＣｎに電圧０（Ｖ）を印加するとともに維持電極ＳＵ１〜ＳＵｎに識別パルスを印加して、再び識別放電を発生させる。次に、時刻ｔｏ２から時間Ｔｏ２経過後の時刻ｔｏ３において、走査電極ＳＣ１〜ＳＣｎに識別パルスを印加するとともに維持電極ＳＵ１〜ＳＵｎに電圧０（Ｖ）を印加して、３回目の識別放電を発生させる。続いて時刻ｔｏ３から時間Ｔｏ３経過後の時刻ｔｏ４において、走査電極ＳＣ１〜ＳＣｎに電圧０（Ｖ）を印加するとともに維持電極ＳＵ１〜ＳＵｎに識別パルスを印加して、４回目の識別放電を発生させる。
【００３８】
ここで、時間Ｔｏ１、時間Ｔｏ２、時間Ｔｏ３はあらかじめ定められた時間間隔であり、後述するように、時間Ｔｏ１、時間Ｔｏ２、時間Ｔｏ３の間隔で発生する４回の識別放電を検出して識別信号を作成する。本実施の形態において、時間Ｔｏ０、時間Ｔｏ１、時間Ｔｏ２、時間Ｔｏ３は、例えばそれぞれ５０μｓ、４０μｓ、２０μｓ、３０μｓである。
【００３９】
識別期間Ｐｏの最後に、走査電極ＳＣ１〜ＳＣｎに電圧０（Ｖ）から電圧Ｖｒまで上昇する上り傾斜電圧を印加して微弱な消去放電を発生させる。
【００４０】
なお本実施の形態において各電極に印加する電圧値は、例えば、電圧Ｖｉ１＝１５０（Ｖ）、電圧Ｖｉ２＝３５０（Ｖ）、電圧Ｖｉ４＝−１７５（Ｖ）、電圧Ｖａ＝−２００（Ｖ）、電圧Ｖｃ＝−５０（Ｖ）、電圧Ｖｓ＝電圧Ｖｓｏ＝２０５（Ｖ）、電圧Ｖｒ＝２０５（Ｖ）、電圧Ｖｅ＝１５５（Ｖ）、電圧Ｖｄ＝５５（Ｖ）である。ただしこれらの電圧値は一例を挙げたに過ぎない。また図３および図４に示した駆動電圧波形も一例を挙げたに過ぎない。これらは、パネル１０の特性等に合わせて、適宜最適な駆動電圧波形および電圧値に設定することが望ましい。
【００４１】
次に、画像表示システムの構成について説明する。
【００４２】
図４は、本発明の実施の形態における画像表示システム１００の回路ブロック図である。画像表示システム１００は、画像表示装置３０と、描画装置４０と、ポインタ５０とを備える。ポインタ５０は図４に示したように、複数本備えていてもよい。
【００４３】
画像表示装置３０は、パネル１０と、画像信号処理部３１と、データ電極駆動部３２と、走査電極駆動部３３と、維持電極駆動部３４と、制御部３５と、各回路ブロックに必要な電源を供給する電源部（図示せず）とを備えている。
【００４４】
画像信号処理部３１は、入力した画像信号と描画装置４０とから出力される画像信号とを切換えて、または合成して、サブフィールド毎の発光・非発光を示す画像データに変換する。また水平および垂直の同期信号を分離して制御部３５に供給する。データ電極駆動部３２は、画像データをデータ電極Ｄ１〜Ｄｍのそれぞれに対応する書込みパルスに変換し、データ電極Ｄ１〜Ｄｍのそれぞれに印加する。
【００４５】
制御部３５は、同期信号をもとにして各回路ブロックの動作を制御する各種の制御信号を発生し、それぞれの回路ブロックへ供給する。走査電極駆動部３３は制御信号に基づいて走査電極ＳＣ１〜ＳＣｎのそれぞれに駆動電圧を印加し、維持電極駆動部３４は制御信号に基づいて維持電極ＳＵ１〜ＳＵｎに駆動電圧を印加する。
【００４６】
ポインタ５０は画像表示装置３０に表示するカーソルを操作するものであり、カーソル表示スイッチ５１と、受光素子５２と、識別部５４と、動きセンサ５６と、送信部５８とを備えている。
【００４７】
カーソル表示スイッチ５１は、カーソルを表示するためのスイッチであり、使用者がカーソル表示スイッチ５１を押下げるとカーソルを表示し、カーソル表示スイッチ５１を押下げないとカーソルを表示しない。そしてカーソル表示スイッチ５１が押下げているときは「Ｈ」レベル、押下げていないときは「Ｌ」レベルとするカーソル表示信号Ｓ１を送信部５８に出力する。
【００４８】
受光素子５２は、画像表示装置３０の発光を受光して識別部５４に受光信号を出力する。
【００４９】
識別部５４は、あらかじめ定められた所定の時間間隔で発生した発光を受光信号の中から検出することにより、識別サブフィールドＳＦｏの識別放電を特定する。具体的には、発光の間隔が順に時間Ｔｏ１、時間Ｔｏ２、時間Ｔｏ３となる４回の連続する発光を受光信号の中から探す。そして上記間隔で連続する４回の発光を検出した場合には、画像表示装置３０の検出を示す識別信号Ｓ２を「Ｈ」レベルにして送信部５８に出力する。また上記間隔で連続する４回の発光が検出できなかった場合には、識別信号Ｓ２を「Ｌ」レベルにして送信部５８に出力する。このように本実施の形態においては、識別信号Ｓ２は識別発光の受光の有無を示している。
【００５０】
動きセンサ５６は、３軸加速度センサと３軸ジャイロセンサとを有する。３軸加速度センサの各軸の出力の平均値から鉛直方向を推定する。また３軸ジャイロセンサの出力、および３軸加速度センサの出力の平均値からの差分にもとづきポインタ５０が指し示す方向の変化を推定し、水平方向および鉛直方向のカーソルの移動量を示す動き信号（δＸ、δＹ）を算出して送信部５８に出力する。ここで、δＸは水平方向の移動量を示し、δＹは鉛直方向の移動量を示している。
【００５１】
本実施の形態においては、ポインタ５０が指し示す方向の変化の速度を算出し、それに比例するように動き信号（δＸ、δＹ）を算出している。
【００５２】
送信部５８は、ポインタ５０のそれぞれに独立に付与されているポインタ番号Ｓ０とカーソル表示信号Ｓ１と識別信号Ｓ２と動き信号（δＸ、δＹ）とをそれぞれエンコードして描画装置１４０に無線信号で送信する。
【００５３】
このようにポインタ５０は、カーソル表示スイッチ５１と受光素子５２と動きセンサ５６とを有し、ポインタ番号Ｓ０と、カーソル表示スイッチ５１の押下げの有無を示すカーソル表示信号Ｓ１と、受光素子５２の画像表示装置３０からの受光の有無を示す識別信号Ｓ２と、動きセンサ５６によるポインタ５０の動きを示す動き信号（δＸ、δＹ）とを描画装置４０に送信する。
【００５４】
描画装置４０は、ポインタ番号Ｓ０とカーソル表示信号Ｓ１と識別信号Ｓ２と動き信号（δＸ、δＹ）に基づきカーソルを表示するための画像信号を作成する。
【００５５】
描画装置４０は、受信部４２と、描画部４４とを備える。
【００５６】
受信部４２は、ポインタ５０から送られる無線信号をデコードして、ポインタ５０のポインタ番号Ｓ０とカーソル表示信号Ｓ１と識別信号Ｓ２と動き信号（δＸ、δＹ）とを再生する。これらの情報がフィールド毎に時々刻々と送られてくるので、以下では時間のパラメータｔを追加して、カーソル表示信号Ｓ１（ｔ）、識別信号Ｓ２（ｔ）、動き信号（δＸ（ｔ）、δＹ（ｔ））等と表記する。
【００５７】
描画部４４は、ポインタ５０のそれぞれが操作するカーソルの座標を記憶する座標メモリ４５と、カーソルの画像信号を記憶するフレームメモリ４６とを備える。そしてポインタ５０のそれぞれから送られる無線信号にもとづきポインタ５０のそれぞれに対応するカーソルの座標を算出して座標メモリ４５に書込みとともに、カーソルを表示するための画像信号を作成してフレームメモリ４６に書込む。
【００５８】
図５は、本発明の実施の形態における画像表示システム１００の画像表示装置３０の画像表示領域の座標の定義を示す図である。描画部４４の具体的な動作を説明するために、画像表示装置３０の画像表示領域上の座標を、以下のように定義する。走査電極ＳＣ１〜ＳＣｎおよび維持電極ＳＵ１〜ＳＵｎが水平方向と平行に、かつデータ電極Ｄ１〜Ｄｍが鉛直方向に平行になるようにパネル１０を設置し、水平方向をＸ軸方向、鉛直方向をＹ軸方向とし、右向きがＸ座標の増加する向き、上向きがＹ座標の増加する向きとする。そしてパネル１０が１０８０×１９２０の画素をもつ高精細度パネルとして、左下隅の座標を座標（０、０）、右下隅の座標を座標（１９１９、０）、左上隅の座標を座標（０、１０７９）、右上隅の座標を座標（１９１９、１０７９）とする。
【００５９】
図６は、本発明の実施の形態における画像表示システム１００の描画部４４の動作を示す状態遷移図である。本実施の形態においては、
状態１：カーソルを表示する状態（カーソルの座標は設定されている）
状態２：カーソルを表示しないが、カーソルの座標は設定されている状態
状態３：カーソルを表示せず、カーソルの座標も設定されていない状態
の３つの状態がある。
【００６０】
描画部４４は、入力したポインタ番号Ｓ０とカーソル表示信号Ｓ１（ｔ）と識別信号Ｓ２（ｔ）と動き信号（δＸ（ｔ）、δＹ（ｔ））とに基づき、フィールド毎に、各状態間の遷移を行う。
【００６１】
遷移１１：ポインタ番号Ｓ０に該当するポインタ（当該ポインタ）５０の直前のフィールドにおける状態が状態１であり、現在のフィールドにおける当該ポインタ５０のカーソル表示信号Ｓ１（ｔ）と識別信号Ｓ２（ｔ）がともに「Ｈ」レベルの場合。
【００６２】
描画部４４は、座標メモリ４５に設定されている当該ポインタ５０のカーソル（当該カーソル）の座標（Ｘ（ｔ−１）、Ｙ（ｔ−１））を中心とする当該カーソルの画像をフレームメモリ４６から消去する。そして座標メモリ４５の当該カーソルの座標（Ｘ（ｔ）、Ｙ（ｔ））を、座標（Ｘ（ｔ−１）、Ｙ（ｔ−１））に動き信号（δＸ（ｔ）、δＹ（ｔ））を加算した座標に更新する。すなわち、（Ｘ（ｔ）、Ｙ（ｔ））＝（Ｘ（ｔ−１）＋δＸ（ｔ）、Ｙ（ｔ−１）＋δＹ（ｔ））である。さらに座標（Ｘ（ｔ）、Ｙ（ｔ））を中心とする当該カーソルの画像をフレームメモリ４６に書込む。
【００６３】
遷移１２：当該ポインタ５０の直前のフィールドにおける状態が状態１であり、現在のフィールドにおける当該ポインタ５０のカーソル表示信号Ｓ１（ｔ）が「Ｌ」レベルの場合。
【００６４】
描画部４４は、座標メモリ４５に設定されている当該カーソルの座標（Ｘ（ｔ−１）、Ｙ（ｔ−１））を中心とする当該カーソルの画像をフレームメモリ４６から消去する。そして座標メモリ４５に記憶されている当該カーソルの座標（Ｘ（ｔ−１）、Ｙ（ｔ−１））を現在のフィールドにおける当該カーソルの座標（Ｘ（ｔ）、Ｙ（ｔ））として保持する。すなわち、（Ｘ（ｔ）、Ｙ（ｔ））＝（Ｘ（ｔ−１）、Ｙ（ｔ−１））である。しかしフレームメモリ４６には当該カーソルの画像は書込まない。
【００６５】
遷移１３：当該ポインタ５０の直前のフィールドにおける状態が状態１であり、現在のフィールドにおける当該ポインタ５０のカーソル表示信号Ｓ１（ｔ）が「Ｈ」レベルかつ識別信号Ｓ２（ｔ）が「Ｌ」レベルの場合。
【００６６】
描画部４４は、座標メモリ４５に設定されている当該カーソルの座標（Ｘ（ｔ−１）、Ｙ（ｔ−１））を中心とする当該カーソルの画像をフレームメモリ４６から消去する。そして当該カーソルの座標を設定せずに未設定（具体的には、例えば、Ｘ（ｔ）およびＹ（ｔ）を負の値）とする。カーソルの座標が未設定であるので、フレームメモリ４６には当該カーソルの画像は書込まない。
【００６７】
遷移２２：当該ポインタ５０の直前のフィールドにおける状態が状態２であり、現在のフィールドにおける当該ポインタ５０のカーソル表示信号Ｓ１（ｔ）が「Ｌ」レベルの場合。
【００６８】
描画部４４は、座標メモリ４５に設定されている当該カーソルの座標（Ｘ（ｔ−１）、Ｙ（ｔ−１））を現在のフィールドにおけるカーソルの座標（Ｘ（ｔ）、Ｙ（ｔ））として保持する。すなわち、（Ｘ（ｔ）、Ｙ（ｔ））＝（Ｘ（ｔ−１）、Ｙ（ｔ−１））である。しかしフレームメモリ４６には当該カーソルの画像は書込まない。
【００６９】
遷移２１：当該ポインタ５０の直前のフィールドにおける状態が状態２であり、現在のフィールドにおける当該ポインタ５０のカーソル表示信号Ｓ１（ｔ）と識別信号Ｓ２（ｔ）がともに「Ｈ」レベルの場合。
【００７０】
描画部４４は、座標メモリ４５の当該カーソルの座標（Ｘ（ｔ）、Ｙ（ｔ））を、座標（Ｘ（ｔ−１）、Ｙ（ｔ−１））に動き信号（δＸ（ｔ）、δＹ（ｔ））を加算した座標に更新する。すなわち、（Ｘ（ｔ）、Ｙ（ｔ））＝（Ｘ（ｔ−１）＋δＸ（ｔ）、Ｙ（ｔ−１）＋δＹ（ｔ））である。さらに座標（Ｘ（ｔ）、Ｙ（ｔ））を中心とする当該カーソルの画像をフレームメモリ４６に書込む。
【００７１】
遷移２３：当該ポインタ５０の直前のフィールドにおける状態が状態２であり、現在のフィールドにおける当該ポインタ５０のカーソル表示信号Ｓ１（ｔ）が「Ｈ」レベルかつ識別信号Ｓ２（ｔ）が「Ｌ」レベルの場合。
【００７２】
描画部４４は、当該カーソルの座標を設定せずに未設定とする。カーソルの座標が未設定であるので、フレームメモリ４６には当該カーソルの画像は書込まない。
【００７３】
遷移３３：当該ポインタ５０の直前のフィールドにおける状態が状態３であり、現在のフィールドにおける当該ポインタ５０のカーソル表示信号Ｓ１（ｔ）が「Ｌ」レベル、またはカーソル表示信号Ｓ１（ｔ）が「Ｈ」レベルかつ識別信号Ｓ２（ｔ）が「Ｌ」レベルの場合。
【００７４】
描画部４４は、当該カーソルの座標を設定せずに未設定とする。あるいは未設定のまま保持する。カーソルの座標が未設定であるので、フレームメモリ４６には当該カーソルの画像は書込まない。
【００７５】
遷移３１：当該ポインタ５０の直前のフィールドにおける状態が状態３であり、現在のフィールドにおける当該ポインタ５０のカーソル表示信号Ｓ１（ｔ）と識別信号Ｓ２（ｔ）がともに「Ｈ」レベルの場合。
【００７６】
描画部４４は、動き信号（δＸ（ｔ）、δＹ（ｔ））にもとづき、あらかじめ定められた複数の座標の中から初期座標（Ｘｏ、Ｙｏ）を選択して、座標メモリ４５の当該カーソルの座標（Ｘ（ｔ）、Ｙ（ｔ））として設定する。すなわち、（Ｘ（ｔ）、Ｙ（ｔ））＝（Ｘｏ、Ｙｏ）である。さらに座標（Ｘ（ｔ）、Ｙ（ｔ））を中心とする当該カーソルの画像をフレームメモリ４６に書込む。
【００７７】
ここで、あらかじめ定められた複数の座標は画像表示装置３０の画像表示領域の周辺部の座標である。図７は、本発明の実施の形態における画像表示システム１００の複数の初期座標を示す図である。本実施の形態においては、画像表示領域の上辺中央の座標（９５９、１０７９）、下辺中央の座標（９５９、０）、左辺中央の座標（０、５３９）、右辺中央の座標（１９１９、５３９）のいずれかを初期座標とする。
【００７８】
描画部４４は、水平方向の移動量δＸ（ｔ）の絶対値｜δＸ（ｔ）｜と鉛直方向の移動量δＹ（ｔ）の絶対値｜δＹ（ｔ）｜とを比較して、
｜δＸ（ｔ）｜≦｜δＹ（ｔ）｜、かつ、δＹ（ｔ）≧０
であれば、現在のフィールドにおけるカーソルの初期座標（Ｘｏ、Ｙｏ）を下辺中央の座標（９５９、０）に設定する。
｜δＸ（ｔ）｜≦｜δＹ（ｔ）｜、かつ、δＹ（ｔ）＜０
であれば、現在のフィールドにおけるカーソルの初期座標（Ｘｏ、Ｙｏ）を上辺中央の座標（９５９、１０７９）に設定する。
｜δＸ（ｔ）｜＞｜δＹ（ｔ）｜、かつ、δＸ（ｔ）≧０
であれば、現在のフィールドにおけるカーソルの初期座標（Ｘｏ、Ｙｏ）を左辺中央の座標（０、５３９）に設定する。
｜δＸ（ｔ）｜＞｜δＹ（ｔ）｜、かつ、δＸ（ｔ）＜０
であれば、現在のフィールドにおけるカーソルの初期座標（Ｘｏ、Ｙｏ）を右辺中央の座標（１９１９、５３９）に設定する。
【００７９】
なお、ポインタ５０が複数存在する場合には、それぞれのポインタ５０から送られる無線信号に対して上記の動作を行う。
【００８０】
以上をまとめると、遷移１３、遷移２３、遷移３３の一部については、カーソル表示信号Ｓ１（ｔ）＝「Ｈ」レベル、識別信号Ｓ２（ｔ）＝「Ｌ」レベルである。すなわち、カーソル表示信号Ｓ１がカーソル表示スイッチ５１の押下げを示しており、識別信号Ｓ２が画像表示装置３０からの受光を示さないフィールドである。この場合には、カーソルの座標を座標メモリ４５に設定せず、カーソルを表示する画像信号を出力しない。
【００８１】
また遷移１１、遷移２１については、カーソル表示信号Ｓ１（ｔ）＝「Ｈ」レベル、識別信号Ｓ２（ｔ）＝「Ｈ」レベル、カーソルの座標＝「設定」である。すなわち、カーソル表示信号Ｓ１がカーソル表示スイッチ５１の押下げを示し識別信号Ｓ２が画像表示装置３０からの受光を示しかつ座標メモリ４５にカーソルの座標が設定されているフィールドである。この場合には、設定されているカーソルの座標に動き信号の示す動きを加算してカーソルの座標を更新するとともに更新した座標に基づきカーソルを表示する画像信号を出力する。
【００８２】
また遷移３１については、カーソル表示信号Ｓ１（ｔ）＝「Ｈ」レベル、識別信号Ｓ２（ｔ）＝「Ｈ」レベル、カーソルの座標＝「未設定」である。すなわち、カーソル表示信号Ｓ１がカーソル表示スイッチ５１の押下げを示し識別信号Ｓ２が画像表示装置３０からの受光を示しかつ座標メモリ４５にカーソルの座標が設定されていないフィールドである。この場合には、動き信号に基づいてカーソルの座標を座標メモリ４５に設定するとともに設定した座標に基づきカーソルを表示する画像信号を出力する。そして、動き信号の示す動きの方向が上向きであれば画像表示領域の下辺中央の座標を、下向きであれば画像表示領域の上辺中央の座標を、右向きであれば画像表示領域の左辺中央の座標を、左向きであれば画像表示領域の右辺中央の座標を、カーソルの座標として座標メモリに設定する。
【００８３】
また遷移１２、遷移２２、遷移３３の一部については、カーソル表示信号Ｓ１（ｔ）＝「Ｌ」レベルである。すなわち、カーソル表示信号Ｓ１がカーソル表示スイッチ５１の押下げを示していないフィールドである。この場合には、座標メモリ４５の座標を更新せず、カーソルを表示する画像信号を出力しない。
【００８４】
これにより、使用者はカーソル表示スイッチ５１を用いて当該ポインタ５０のカーソルの表示および非表示を制御できるので、従来のレーザポインタ等と同様の感覚でポインタ５０を使用することができる。
【００８５】
次に、画像表示システム１００の動作の一例について説明する。
【００８６】
図８は、本発明の実施の形態における画像表示システム１００の動作の一例を示す模式図である。使用者がカーソルを表示するために、カーソル表示スイッチ５１を押下げつつ、ポインタ５０の先端を画像表示領域よりも下方から画像表示領域の中央部に向かって動かしたとする。
【００８７】
ポインタ５０の先端が下方を向いている間（図８のＡで示した状態）では、受光素子５２は画像表示装置３０の発光を受光できないので、識別信号Ｓ２（ｔ）は「Ｌ」レベルであり、カーソルの座標（Ｘ（ｔ）、Ｙ（ｔ））は未設定である。そのためカーソルの画像は表示されない。
【００８８】
ポインタ５０の先端が上り、受光素子５２が画像表示装置３０の発光を最初に受光すると（図８のＢで示した状態）、識別信号Ｓ２（ｔ）が「Ｈ」レベルに遷移する。このときの水平方向の移動量δＸ（ｔ）は「０」に近い値をもち、鉛直方向の移動量δＹ（ｔ）は正の値をもつ。すなわち、
｜δＸ（ｔ）｜≦｜δＹ（ｔ）｜、かつ、δＹ（ｔ）≧０
であるので、描画部４４は、現在のフィールドにおけるカーソルの座標（Ｘ（ｔ）、Ｙ（ｔ））を下辺中央の座標（９５９、０）に設定する。そして下辺中央の座標（９５９、０）を中心とするカーソルの画像をフレームメモリに書込む。これにより、画像表示装置３０の画像表示領域の下辺中央にカーソルが表示される。
【００８９】
その後、さらにポインタ５０の先端が上ると（図８のＣで示した状態）、描画部４４は、フィールド毎に順次、直前のフィールドにおけるカーソルの画像をフレームメモリから消去しながら現在のフィールドにおけるカーソルの画像をフレームメモリに書込む。これにより、下辺中央のカーソルが画像表示領域の中央部に向かって移動する。
【００９０】
図９は、本発明の実施の形態における画像表示システム１００の動作の他の例を示す模式図である。使用者がカーソルを表示するために、カーソル表示スイッチ５１を押下げつつ、ポインタ５０の先端を画像表示領域よりも左側から画像表示領域の中央部に向かって動かしたとする。
【００９１】
ポインタ５０の先端が左側を向いている状態（図９のＤで示した状態）では、受光素子５２は画像表示装置３０の発光を受光できないので、識別信号Ｓ２（ｔ）は「Ｌ」レベルであり、カーソルの座標（Ｘ（ｔ）、Ｙ（ｔ））は未設定である。そのためカーソルの画像は表示されない。
【００９２】
ポインタ５０の先端が右に移動して、受光素子５２が画像表示装置３０の発光を最初に受光すると（図９のＥで示した状態）、識別信号Ｓ２（ｔ）が「Ｈ」レベルに遷移する。このときの水平方向の移動量δＸ（ｔ）は正の値をもち、鉛直方向の移動量δＹ（ｔ）は「０」に近い値をもつ。すなわち、
｜δＸ（ｔ）｜＞｜δＹ（ｔ）｜、かつ、δＸ（ｔ）≧０
であるので、描画部４４は、現在のフィールドにおけるカーソルの座標（Ｘ（ｔ）、Ｙ（ｔ））を左辺中央の座標（０、５３９）に設定する。そして左辺中央の座標（０、５３９）を中心とするカーソルの画像をフレームメモリに書込む。これにより、画像表示装置３０の画像表示領域の左辺中央にカーソルが表示される。
【００９３】
その後、さらにポインタ５０の先端が右に移動すると（図９のＦで示した状態）、描画部４４は、フィールド毎に順次、直前のフィールドにおけるカーソルの画像をフレームメモリから消去しながら現在のフィールドにおけるカーソルの画像をフレームメモリに書込む。これにより、左辺中央のカーソルが画像表示領域の中央部に向かって移動する。
【００９４】
以上説明したように、使用者がカーソルを表示させたい場合には、カーソル表示スイッチ５１を押下げつつ、画像表示領域の外側から画像表示領域の内側に向けてポインタ５０の先端を動かせばよい。そしてポインタ５０の先端を画像表示領域の下側から上に向けて動かせば画像表示領域の下辺中央に現れたカーソルが画像表示領域の中央部に向かって移動し、画像表示領域の左側から右に向けて動かせば画像表示領域の左辺中央に現れたカーソルが画像表示領域の中央部に向かって移動し、画像表示領域の上側から下に向けて動かせば画像表示領域の上辺中央に現れたカーソルが画像表示領域の中央部に向かって移動し、画像表示領域の右側から左に向けて動かせば画像表示領域の右辺中央に現れたカーソルが画像表示領域の中央部に向かって移動する。
【００９５】
また使用者がカーソルを速く動かしたい場合にはポインタ５０の先端を速く動かせばよく、カーソルをゆっくり動かしたい場合にはポインタ５０の先端をゆっくり動かせばよい。
【００９６】
また使用者がカーソルを消去したい場合には、従来のレーザポインタと同様にカーソル表示スイッチ５１を離せばよい、またはポインタ５０の先端を画像表示領域から外れるまで任意の方向に動かせばよい。
【００９７】
このように、使用者はカーソルの表示、消去、移動に応じてカーソル表示スイッチ５１の操作とポインタ５０の先端を動かすという直感的な操作を行うことにより、カーソルを見失うことなくカーソルを操作することができる。
【００９８】
なお本実施の形態においては、画像表示領域の上辺中央、下辺中央、左辺中央、右辺中央の４箇所の座標のいずれかを初期座標（Ｘｏ、Ｙｏ）とした。しかし初期座標（Ｘｏ、Ｙｏ）は上記に限定されるものではない。
【００９９】
図１０は、本発明の実施の形態における画像表示システム１００の他の初期座標（Ｘｏ、Ｙｏ）を示す図である。図１０では、画像表示領域の上辺中央の座標（９５９、１０７９）、下辺中央の座標（９５９、０）、左辺中央の座標（０、５３９）、右辺中央の座標（１９１９、５３９）の４箇所に加えて、左下隅の座標（０、０）、右下隅の座標（１９１９、０）、左上隅の座標（０、１０７９）、右上隅の座標（１９１９、１０７９）の合計８箇所のいずれかを初期座標（Ｘｏ、Ｙｏ）とする。
【０１００】
動き信号（δＸ、δＹ）はベクトルであるので、動き信号ベクトルの動径δｒ（０≦δｒ）と偏角θ（−１８０°＜θ≦１８０°）とを、以下のとおり定義する。
【０１０１】
【数１】
2014035554.tif 000003
【０１０２】
このとき、描画部４４は、現在のフィールドにおけるカーソルの初期座標（Ｘｏ、Ｙｏ）を、例えば以下のように設定すればよい。図１１に示したように、ポインタ５０の動きに対する動き信号ベクトルの偏角θが、−１６°＜θ≦１６°であれば左辺中央の座標（０、５３９）に設定し、１６°＜θ≦４８°であれば左下隅の座標（０、０）に設定し、４８°＜θ≦１３８°であれば下辺中央の座標（９５９、０）に設定し、１３８°＜θ≦１６４°であれば右下隅の座標（１９１９、０）に設定し、１６４°＜θまたはθ≦−１６４°であれば右辺中央の座標（１９１９、５３９）に設定し、−１６４°＜θ≦−１３８°であれば右上隅の座標（１９１９、１０７９）に設定し、−１３８°＜θ≦−４８°であれば上辺中央の座標（９５９、１０７９）に設定し、−４８°＜θ≦−１６°であれば左上隅の座標（０、１０７９）に設定する。
【０１０３】
上記は、アスペクト比が１６：９である画像表示領域に対して、画像表示領域の上辺中央、下辺中央、左辺中央、右辺中央、左上隅、右上隅、左下隅、右下隅のいずれかの座標であって、かつその座標を始点として動き信号（δＸ（ｔ）、δＹ（ｔ））の示す動きの方向に延長した半直線が画像表示領域の中心（９６０、５４０）に最も近い座標（Ｘｏ、Ｙｏ）に、カーソルの座標を設定することに対応している。
【０１０４】
図１１は、本発明の実施の形態における画像表示システム１００のさらに他の初期座標（Ｘｏ、Ｙｏ）を示す図である。図１１では、画像表示領域の周辺部の任意の座標の１つを初期座標（Ｘｏ、Ｙｏ）とする。
【０１０５】
描画部４４は、画像表示領域の周辺部の座標であって、かつその座標を始点として動き信号（δＸ（ｔ）、δＹ（ｔ））の示す動きの方向に延長した半直線が画像表示領域の中心（９６０、５４０）を通る座標を、カーソルの座標として座標メモリ４５に設定してもよい。
【０１０６】
なお本実施の形態においては、プラズマディスプレイパネルを用いた画像表示装置の識別サブフィールドＳＦｏの発光をポインタが検出する構成として説明したが、画像表示装置およびその発光が上記に限定されるものではない。ポインタが画像表示装置の発光の受光を示す識別信号を描画装置に送信することにより、ポインタの先端が画像表示装置の表示画面に向かっていることを識別する構成であればよい。
【０１０７】
また本実施の形態においては、描画部は、直前のフィールドにおけるカーソルの座標を中心とするカーソルの画像を消去しつつ、現在のフィールドにおける座標を中心とするカーソルの画像を書込むことにより、移動するカーソルを表示する画像信号を作成した。このカーソルの表示に加えて、直前のフィールドにおけるカーソルの座標を中心とするカーソルの画像を消去することなく、現在のフィールドにおける座標を中心とするカーソルの画像を書込むことにより、移動するカーソルの軌跡として線を表示する画像信号を作成する機能を追加してもよい。
【０１０８】
また本実施の形態において説明した各回路ブロックは、電気回路として構成されてもよく、同様の動作をするようにプログラミングされたプロセッサ等を用いて構成されてもよい。
【０１０９】
また本実施の形態において用いた具体的な各数値は、単に一例を挙げたに過ぎず、画像表示装置の特性や画像表示システムの仕様等に合わせて、適宜最適な値に設定することが望ましい。
【産業上の利用可能性】
【０１１０】
本発明は、スイッチを押すことによりカーソルを表示し、かつ直感的な操作を行うことによってカーソルを見失うことなく表示できるので、プラズマディスプレイパネル、液晶表示パネル、有機ＥＬ表示パネル、ＬＥＤパネル等を用いた画像表示装置、それにカーソルを表示させるポインタを備えた画像表示システムとして有用である。
【符号の説明】
【０１１１】
１０    パネル
１２    走査電極
１３    維持電極
２２    データ電極
３０    画像表示装置
３１    画像信号処理部
３２    データ電極駆動部
３３    走査電極駆動部
３４    維持電極駆動部
３５    制御部
４０    描画装置
４２    受信部
４４    描画部
５０    ポインタ
５１    カーソル表示スイッチ
５２    受光素子
５４    識別部
５６    動きセンサ
５８    送信部
１００    画像表示システム
【図１】
2014035554.tif 000004
【図２】
2014035554.tif 000005
【図３】
2014035554.tif 000006
【図４】
2014035554.tif 000007
【図５】
2014035554.tif 000008
【図６】
2014035554.tif 000009
【図７】
2014035554.tif 000010
【図８】
2014035554.tif 000011
【図９】
2014035554.tif 000012
【図１０】
2014035554.tif 000013
【図１１】
2014035554.tif 000014